(57)【要約】      （修正有）【課題】米等の内容物が収容されている状態の包装袋を、別途レジ袋を使用することなく簡単に持ち運ぶことができる包装袋を提供する。【解決手段】米等の穀物、飼料又は粉状物を内容物として収容するための包装袋１を、内容物を充填密封するためのスペースを有する袋本体１０と、袋本体の上端辺４に連接して形成される把手部２０とから構成し、袋本体に内容物が充填密封された状態の包装袋を、把手部を把手することにより、別途レジ袋を用いることなく持ち運ぶことができる。把手部は、袋本体の上端辺から袋本体側に形成され得る。内容物は、袋本体の下端辺から充填され得る。【選択図】図１
0003137002.tif 000002
【実用新案登録請求の範囲】
【請求項１】
米等の穀物、飼料又は粉状物を内容物として収容するための包装袋であって、
前記内容物を充填密封するためのスペースを有する袋本体と、袋本体の長手方向の一端辺に連接して形成される把手部とを備え、袋本体に内容物が充填密封された状態の包装袋を、把手部を把手することにより持ち運びできるようにしたことを特徴とする包装袋。
【請求項２】
前記把手部が袋本体の前記一端辺から袋本体側に形成される請求項１の包装袋。
【請求項３】
前記内容物は、袋本体の長手方向の他端辺から充填される請求項１又は２の包装袋。
【請求項４】
前記把持部は、人差し指を挿入するための第１開口と、中指を挿入するための第２開口と、薬指と小指を同時に挿入するための第３開口とを含む請求項１〜３のいずれか一に記載の包装袋。
【請求項５】
前記第１及び第２開口の直径は２０〜３５ｍｍであり、前記第３開口の直径は３２〜４５ｍｍである請求項４に記載の包装袋。
【考案の詳細な説明】
【技術分野】
【０００１】
本考案は、米等の穀物、飼料又は粉状物を充填密封して販売等に供する包装袋に関するものである。
【背景技術】
【０００２】
米、飼料等は、量り売りされる場合を除き、所定の大きさの包装袋に充填された状態で販売店にて陳列され、販売されている。このような包装袋に収容されている米等を店頭で購入した場合、包装袋自体に把手部が設けられていないため、この包装袋を、把手部を有する別のポリエチレン製等のいわゆるレジ袋（買い物袋）に入れることにより、購入者は比較的重い包装袋を持ち運ぶことができるようになる。
【０００３】
しかしながら、上記のようなレジ袋の使用は、近年機運が高まっている省資源化に反し、無駄である。
【考案の開示】
【考案が解決しようとする課題】
【０００４】
従って、本考案の目的は、米等の内容物が収容されている状態の包装袋を、別途レジ袋を使用することなく簡単に持ち運ぶことができる包装袋を提供することにある。
【課題を解決するための手段】
【０００５】
上記課題を解決するため、本考案によれば、米等の穀物、飼料又は粉状物を内容物として収容するための包装袋であって、前記内容物を充填密封するためのスペースを有する袋本体と、袋本体の長手方向の一端辺に連接して形成される把手部とを備え、袋本体に内容物が充填密封された状態の包装袋を、把手部を把手することにより持ち運びできるようにしたことを特徴とする包装袋が提供される。
【０００６】
本考案では、包装袋の製造工程において、内容物を充填密封するためのスペースを規定する袋本体の長手方向一端辺から把持部を連接形成し、その後、袋本体の長手方向他端辺から内容物を充填し密封することにより、把持部付きの包装袋を得ることができる。更に、上記把持部の連接形成としては、例えば、製袋時に単位袋基材として、袋本体の一端辺からマージン部分を確保しておき、このマージン部分の一部を把持部として残し、他のマージン部分を切除等するもの等を具体例として挙げることができる。
【０００７】
本考案において、把持部は、袋本体の一端辺から袋本体の外側に形成することができる他、該一端辺から袋本体側（袋本体の内側）に形成することもでき、後者の場合、熱シール部によって袋本体の収容スペースと把持部とが区画される。把持部はまた、長手方向一端辺の左右方向中央部に設けることも、該一端辺の左側又は右側端部に設けることもできる。
【０００８】
本考案では、把手部に指を通す開口（指を通すことができるスリットを含む）を設けることができ、この開口対応部分を完全に切り落とすこともできるが、一部切断せずに開口対応部分が残るようにして切断片の発生を防ぐことができる。開口としては、四本の指を通す円形や長円形のものの他、指ごとに通す穴を複数設けることもできる。後者の例として、人差し指を挿入するための第１開口と、中指を挿入するための第２開口と、薬指と小指を同時に挿入するための第３開口とを含むものを挙げることができ、この場合、前記第１及び第２開口の直径は２０〜３５ｍｍであり、前記第３開口の直径は３２〜４５ｍｍであることが望ましい。
【０００９】
包装袋の材質としては、外層が紙、ナイロン、ポリエステル、ＰＥ、ＣＰＰフィルム等でかつ最内層にヒートシール性を付与した単層又は２〜５層の貼り合わせ素材を好ましく用いることができる。
【考案を実施するための最良の形態】
【００１０】
以下、本考案の好適な実施形態を添付図面に基づいて説明する。図１は、本考案の一実施形態に係る包装袋１の平面図であり、図２は、内容物（米）が充填され密封された状態の図１の包装袋１のＡ−Ａ線概略断面図である。包装袋１は、上下（図１及び２において右左）に長い長方形の表面シート２及び裏面シート３の上下左右の端辺４、５、６、７がシール（封止）されて成る袋本体１０と、袋本体１０の上端辺４の左右中央部に連接して形成された矩形の把手部２０とを備えている。袋本体１０は、表裏面シート２、３間に内容物を収容するスペースを有し、後述するように、シール前の下端辺５から内容物が袋本体１０内に充填される。
【００１１】
把手部２０は、後述するように、袋本体１０の上端辺４から把手部２０の上下方向長さ分だけ延長した表裏シート２’、３’から成る矩形延長部分（マージン部分）のうち、左右の矩形部分ｃを製袋工程時に（把手部２０の左右端辺９から）切除すると共に、上端辺８をシールして成る。なお、袋本体１０の上端辺４が把手部２０の下端辺となる。包装袋１を持ち運ぶ場合は、シールされていない把手部２０の左右端辺９から表裏シート２’、３’間へと手を入れて把手することができる。
【００１２】
次に、包装袋１の製袋及び内容物充填工程を説明する。製袋工程において、左右両端辺のみがシールされた上下方向に連続する表裏シート（２、２’、３、３’）から成るストリップ材（図示せず）が供給ロール（図示せず）から送り出され、このストリップ材を、包装袋１の上下方向全長に合致する長さごとに切断して個々の単位袋基材（図１参照）を得る。そして、この袋基材から上述した切除部分ｃを除去すると共に、袋本体１０の上端辺４と把手部２０の上端辺８とを熱シールすることにより、下端辺５がシールされていない把手部２０付きの袋本体１０を得る。次いで、充填工程で袋本体１０の下端開口から内容物を袋本体１０内に充填した後、袋本体１０の下端辺５を熱シールすることによって、内容物が充填・密封された包装袋１となる。なお、切除部分ｃを完全に切除するのではなく、袋本体１０の上端辺４との境界は切断せず、把手部２０の左右端辺９との境界のみを切断することにより、切断片の発生を防ぐことができる。
【００１３】
図３及び４は、本考案の別の実施形態に係る包装袋１’の平面図及び概略断面図である。包装袋１’は、上述した包装袋１とは、把手部２０’が袋本体１０’の上端辺４’から袋本体１０’側に存在する点が異なっている。なお、包装袋１と共通する表裏シートは同じ参照番号２、３を使用している。包装袋１’では、製袋工程時に、単位袋基材の上端辺４’を熱シールすると共に、該基材において把手部２０’として確保する領域の周囲を熱シールすることにより（熱シール部８’）、袋本体１０’の収容スペースから把手部２０’を区画する。また、把手部２０’に指を通すための開口をスリット２１を入れて設ける。更に、充填工程時に本体１０’に未シールの下端辺５’から内容物を充填した後、下端辺５’を熱シールする。なお、充填された内容物は把手部２０’の左右両側（図１において上下）にも入り込む。
【００１４】
包装袋１’は、包装袋１と異なり、把手部２０’を得るためにマージン部分を確保する必要がないため、シート材の歩留まりがよく、また、熱シール部８’で囲む把手部分２０’を最小にすることで、袋本体１０’の収容スペースの縮小分を最低限に抑えることができる。
【００１５】
図５は、把手部２０’に設ける開口の別の例を示し、把手部２０’には、人差し指を通すための第１開口２２と、中指を通すための第２開口２３と、薬指と小指を同時に通すたための第３開口２４とを含む。第１及び第２開口２２、２３の直径は２０〜３５ｍｍ、第３開口２４の直径は３２〜４５ｍｍに設定され、更に、第２開口２３を第１及び第３開口２２、２４よりも若干低くする。これにより、非常に持ちやすい把手部２０’を得ることができる。
【図面の簡単な説明】
【００１６】
【図１】本考案の一実施形態に係る包装袋の平面図である。
【図２】図１の包装袋のＡ−Ａ線断面説明図である。
【図３】本考案の別の実施形態に係る包装袋の平面図である。
【図４】図３の包装袋の断面説明図である。
【図５】把持部の開口部の一例を示す説明図である。
【符号の説明】
【００１７】
１、１’  包装袋
２、２’  表面シート
３、３’  裏面シート
４、４’  上端辺
５、５’  下端辺
８  把持部の上端辺
８’  熱シール部
１０、１０’  袋本体
２０、２０’  把手部
２１  スリット
２２  第１開口
２３  第２開口
２４  第３開口
【図１】
0003137002.tif 000003
【図２】
0003137002.tif 000004
【図３】
0003137002.tif 000005
【図４】
0003137002.tif 000006
【図５】
0003137002.tif 000007